(57)【特許請求の範囲】
【請求項１】
防火戸の係合部材と係合する係合部を有するラッチを含むラッチ機構部と、該ラッチの係合部と該防火戸の係合部材との係合を保持するラッチ固定機構部と、移動体を有する起動部と、取付プレート上にスライド移動可能に重畳されて取り付けられた複数の解除プレートからなり、該起動部の移動体の移動に連動して、該ラッチ固定機構部による該ラッチの係合部と該防火戸の係合部材との係合の保持状態を解除するスライド機構を含むラッチ解除機構部とを備えた防火戸用自動閉鎖装置であって、
該複数の解除プレートにはそれぞれ長さ方向に延在する１以上の長孔が形成されると共に、該取付プレートには１以上のローラに挿通される１以上のローラ軸が立設されており、そして、該複数の解除プレートは、該長孔に該ローラ軸が該ローラと共に挿通された状態で、該取付プレート上に取り付けられており、また、該ローラが大径部を有し、該複数の解除プレートの少なくとも各プレート間に該ローラの大径部が位置していることを特徴とする防火戸用自動閉鎖装置。
【請求項２】
該複数の解除プレートが、該取付プレートの直上に取り付けられた第１の解除プレートと、該第１の解除プレート上に重ねて取り付けられた第２の解除プレートとからなり、該第１の解除プレートには該起動部の移動体に当接する起動レバーと該ラッチ固定機構部の解除トリガに当接する解除レバーとが設けられており、該第１の解除プレートと該第２の解除プレートとの間に設けられたスプリングの付勢力によって、該起動部の移動体の移動に連動して、該第１の解除プレートがスライド移動することで、該解除レバーが該解除トリガを変位させて、該ラッチ固定機構部による該ラッチの係合部と該防火戸の係合部材との係合の保持状態を解除するよう構成されていることを特徴とする請求項１に記載の防火戸用自動閉鎖装置。
【請求項３】
該取付プレートがケース内を上下に分割する中間シャーシであり、該中間シャーシによって分割される一方の側に該ラッチ機構部と該ラッチ固定機構部と該ラッチ解除機構部とが配置され、他方の側に起動部が配置されており、該第１の解除プレートの起動レバーは該中間シャーシを貫通して該起動部側に至るように配置されていることを特徴とする請求項２に記載の防火戸用自動閉鎖装置。
【発明の詳細な説明】
【技術分野】
【０００１】
この発明は、常時は防火戸を開放状態に保持し、火災発生時等は防火戸を自動的に閉鎖させる防火戸用自動閉鎖装置に関する。
【背景技術】
【０００２】
防火戸用自動閉鎖装置は、一般に、防火戸の係合部材と係合する係合部を有するラッチを備えており、常時は、ラッチの係合部と防火戸の係合部材との係合を保持して、防火戸を開放状態に保持し、火災発生時は、ソレノイド等の起動手段の動作に連動して、ラッチの係合部と防火戸の係合部材との係合の保持状態を解除し、防火戸をその自重により自動的に閉鎖させることができるようになっている。
【０００３】
この種の自動閉鎖装置は、前記のように、起動手段の動作に連動して、ラッチの係合部と防火戸の係合部材との係合の保持状態を解除することができるようになっているが、従来の自動閉鎖装置において、そのラッチの解除用の機構として、起動手段と協働する複数の解除プレートがシャーシ上に形成されたガイド用の溝にスライド移動可能に重畳されて構成されたスライド機構を備えているものがある（例えば、特許文献１参照）。
【先行技術文献】
【特許文献】
【０００４】
【特許文献１】特開２００５−２２０６９１号公報
【発明の概要】
【発明が解決しようとする課題】
【０００５】
従来の自動閉鎖装置におけるラッチ解除用のスライド機構は、前記のように、複数の解除プレートがシャーシ上のガイド用の溝にスライド移動可能に重畳されて構成されたものとなっている。
【０００６】
そのため、従来の自動閉鎖装置においては、ラッチ解除用のスライド機構を備えているものの場合、次のような問題点があった。
・ガイド用の溝との関係で解除プレートの設計、特に解除プレートの幅方向の設計に制限があった。
・ガイド用の溝中で解除プレートを円滑にスライド移動できるようにするために、解除プレートにはバリ取り加工をする必要があり、また接触部分にグリスを塗布する必要もあり、製造時の作業工数が多かった。
・接触部分に塗布したグリスが、低温時に固化してしまったり、長期間経過後に劣化してしまったりして、プレートのスライド移動が不安定なものとなる可能性があった。
【０００７】
この発明は、前記の事情に鑑み、解除プレートの設計の自由度を広げることのできるラッチ解除用のスライド機構を備えた防火戸用自動閉鎖装置を提供することを目的とし、また、製造時の作業工数を少なくすることができるラッチ解除用のスライド機構を備えた防火戸用自動閉鎖装置を提供することを目的とし、また、周囲温度の影響を受けず、解除プレートが長期に亘って安定して移動することができるラッチ解除用のスライド機構を備えた防火戸用自動閉鎖装置を提供することを目的とする。
【課題を解決するための手段】
【０００８】
この発明は、防火戸の係合部材と係合する係合部を有するラッチを含むラッチ機構部と、該ラッチの係合部と該防火戸の係合部材との係合を保持するラッチ固定機構部と、移動体を有する起動部と、取付プレート上にスライド移動可能に重畳されて取り付けられた複数の解除プレートからなり、該起動部の移動体の移動に連動して、該ラッチ固定機構部による該ラッチの係合部と該防火戸の係合部材との係合の保持状態を解除するスライド機構を含むラッチ解除機構部とを備えた防火戸用自動閉鎖装置であって、該複数の解除プレートにはそれぞれ長さ方向に延在する１以上の長孔が形成されると共に、該取付プレートには１以上のローラに挿通される１以上のローラ軸が立設されており、そして、該複数の解除プレートは、該長孔に該ローラ軸が該ローラと共に挿通された状態で、該取付プレート上に取り付けられており、また、該ローラが大径部を有し、該複数の解除プレートの少なくとも各プレート間に該ローラの大径部が位置していることを特徴とする防火戸用自動閉鎖装置である。
【００１０】
また、この発明は、該防火戸用自動閉鎖装置であって、該複数の解除プレートが、該取付プレートの直上に取り付けられた第１の解除プレートと、該第１の解除プレート上に重ねて取り付けられた第２の解除プレートとからなり、該第１の解除プレートには該起動部の移動体に当接する起動レバーと該ラッチ固定機構部の解除トリガに当接する解除レバーとが設けられており、該第１の解除プレートと該第２の解除プレートとの間に設けられたスプリングの付勢力によって、該起動部の移動体の移動に連動して、該第１の解除プレートがスライド移動することで、該解除レバーが該解除トリガを変位させて、該ラッチ固定機構部による該ラッチの係合部と該防火戸の係合部材との係合の保持状態を解除するよう構成されていることを特徴とする防火戸用自動閉鎖装置である。
【００１１】
また、この発明は、該防火戸用自動閉鎖装置であって、該取付プレートがケース内を上下に分割する中間シャーシであり、該中間シャーシによって分割される一方の側に該ラッチ機構部と該ラッチ固定機構部と該ラッチ解除機構部とが配置され、他方の側に起動部が配置されており、該第１の解除プレートの起動レバーは該中間シャーシを貫通して該起動部側に至るように配置されていることを特徴とする防火戸用自動閉鎖装置である。
【発明の効果】
【００１２】
この発明においては、複数の解除プレートに長さ方向に延在する長孔が形成され、その長孔にローラ軸がローラと共に挿通されて、複数の解除プレートが取付プレートにスライド移動可能に取り付けられたものとなっており、前記従来例のようなガイド用の溝によってスライド移動可能としているものと異なり、解除プレートの幅方向における設計の自由度が広いものとなっている。
【００１３】
従って、この発明によれば、解除プレートの設計の自由度を広げることのできるラッチ解除用のスライド機構を備えた防火戸用自動閉鎖装置を提供することができる。
【００１４】
また、この発明においては、前記の通り、複数の解除プレートに長さ方向に延在する長孔が形成され、その長孔にローラが挿通されたローラ軸が挿通されて、複数の解除プレートは取付プレートにスライド移動可能に取り付けられたものとなっており、前記従来例のようなガイド用の溝によってスライド移動可能としているものと異なり、製造時に解除プレートのバリ取りや接触部分へのグリスの塗布をしなくても、解除プレートを円滑にスライド移動させることのできるものとなっている。
【００１５】
従って、この発明によれば、製造時の作業工数を少なくすることができるラッチ解除用のスライド機構を備えた防火戸用自動閉鎖装置を提供することができ、また、周囲温度の影響を受けず、解除プレートが長期に亘って安定して移動することができるラッチ解除用のスライド機構を備えた防火戸用自動閉鎖装置を提供することができる。
【図面の簡単な説明】
【００１６】
【図１】この発明の防火戸用自動閉鎖装置の実施形態の一例を示し、（ａ）がケース上側を外した状態における平面図、（ｂ）がケース上側と中間シャーシを外した状態における平面図、（ｃ）がスライド機構が取り付けられた状態における中間シャーシの底面図である。
【図２】同上を示し、（ａ）が中間シャーシとスライド機構部分の分解側面図、（ｂ）が中間シャーシとスライド機構部分の側面図である。
【図３】同上を示し、（ａ）及び（ｂ）何れも起動部と中間シャーシとスライド機構部分の側面図であり、（ａ）が常時における起動部のプランジャが伸長した状態にある際のもので、（ｂ）が起動時における起動部のプランジャが縮長し、ラッチ固定機構部の自動解除用トリガピンを解除位置に変位させた際のものである。
【図４】同上を示し、（ａ）乃至（ｃ）何れもケース上側と中間シャーシを外した状態における平面図であり、自動でラッチ機構部を係合保持状態からそれを解除して防火戸のフックを解放する場合の変化の様子を示したものであり、（ａ）がラッチ機構部が係合保持状態にあるときのもの、（ｂ）が起動部の起動によりラッチ機構部の係合保持状態が解除されようとしているときのもの、（ｃ）が起動部の起動によりラッチ機構部の係合保持状態が解除され、ラッチ機構部から防火戸のフックが解放されたときのものである。
【図５】同上を示し、（ａ）乃至（ｄ）何れもケース上側と中間シャーシを外した状態における平面図であり、手動でラッチ機構部を係合保持状態からそれを解除して防火戸のフックを解放する場合の変化の様子を示したものであり、（ａ）がラッチ機構部が係合保持状態にあるときのもの、（ｂ）がラッチ機構部の手動解除用のレバーがラッチ固定機構部の手動解除用のトリガレバーに当接されたときのもの、（ｃ）及び（ｄ）がラッチ機構部の手動解除用のレバーがラッチ固定機構部の手動解除用のトリガレバーを押動し、ラッチ固定機構部が解除状態に変化し、ラッチ機構部の係合保持状態が解除され、ラッチ機構部から防火戸のフックが解放されたときのものである。
【発明を実施するための形態】
【００１７】
この発明の防火戸用自動閉鎖装置の一実施形態を図１乃至５に基づき説明する。
【００１８】
先ず、全体の概要について説明する。
【００１９】
防火戸用自動閉鎖装置１は、ケース２内にラッチ機構部３、ラッチ固定機構部４、起動部の一例としてのソレノイド５、ラッチ解除機構部６、取付プレートの一例としての中間シャーシ７等を備えている。防火戸用自動閉鎖装置１において、ケース２は上下に２分割されており、図面にはケースの下側のみを示している。このケース２には、図示しない防火戸の係合部材、例えばフックＨを出入りさせるための開口部２ａが形成されている。また、ケース２内においては、中間シャーシ７を境に上下に２分割されており、中間シャーシ７の下側にラッチ機構部３、ラッチ固定機構部４、ラッチ解除機構部６の後記するスライド機構部６ａ等が位置し、中間シャーシ７の上側にソレノイド５等が位置する配置構造となっている。
【００２０】
そして、この防火戸用自動閉鎖装置１は、常時は、図１（ａ）及び（ｂ）に示すように、開口部２ａ内に位置する防火戸のフックＨとのラッチ機構部３による係合を保持し、防火戸を開放状態に保持することができるものとなっており、火災時は、火災信号によるソレノイド５の起動に基づき、図４（ａ）乃至（ｃ）に示すように、防火戸のフックＨとのラッチ機構部３による係合の保持状態を解除し、フックＨをラッチ機構部３から解放させて、防火戸を自動的に閉鎖させることができるものとなっている。
【００２１】
次に、各構成の詳細について説明する。
【００２２】
ラッチ機構部３は、防火戸のフックＨと係合する鉤状の係合部３ｅを有するラッチプレート３ａを含んでいるが、具体的には、ケース２に固定の軸Ｘ１を軸として共に回動可能なラッチプレート３ａ、係止プレート３ｂ及び解除レバー付プレート３ｃからなる３枚のプレートと、ケース２に固定の軸Ｘ２を軸として回動可能なラッチアーム３ｄからなるものとなっている。このラッチ機構部３において、３枚のプレートは軸Ｘ１を軸として共に回動するようになっているが、ラッチプレート３ａの回動により、係合部３ｅは、防火戸のフックＨとの係合の保持が可能な係合位置（Ｐ１）と、フックＨとの係合の解放が可能な解放位置（Ｐ２）との間で回動変位することができるようになっており（図４ａ乃至ｃ及び図５ａ乃至ｄ）、また、３枚のプレートは、図示しないスプリングにより係合部３ｅの解放位置（Ｐ２）側に向けて（図面上の時計回り）常時付勢されているが、係止プレート３ｂとラッチアーム３ｄが協働し、３枚のプレートの回動に連れて、係止プレート３ｂの係合凸部３ｆとラッチアーム３ｄの係合凹部３ｇが係脱することで、３枚のプレートの回動と停止ができるようになっている。なお、ラッチアーム３ｄは、図示しないスプリングにより３枚のプレート側（図面上の下方）に向けて常時付勢されている。
【００２３】
ラッチ固定機構部４は、ラッチ機構部３と協働し、ラッチプレート３ａの係合部３ｅが係合保持位置にある状態に保持し、ラッチ機構部３を係合保持状態に固定するものであるが、具体的には、ラッチアーム３ｄの回動端と連結され、伸長状態と屈折状態との間で変化可能なトグルリンク機構４ａからなるものとなっている。
【００２４】
トグルリンク機構４ａは、具体的には、ケース２に固定の軸Ｘ３を軸として回動可能な第１アーム４ｂと、第１アーム４ｂにジョイント部４ｄで回動可能に連結された第２アーム４ｃとからなり、第２アーム４ｃにジョイント部４ｅで回動可能にラッチアーム３ｄの回動端が連結されたものとなっており、伸長状態にあるとき、ラッチアーム３ｄをその係合凹部３ｇが係止プレート３ｂの係合凸部３ｆと係合する位置に位置させ（図４ａ及び図５ａ）、屈折状態にあるとき、ラッチアーム３ｄをその係合凹部３ｇが係止プレート３ｂの係合凸部３ｆと係合しない位置に位置させるものとなっており（図４ｃ及び図５ｄ）、そして、軸Ｘ３部分に設けたスプリング（ねじりバネ）４ｈにより、伸長方向に常時付勢されており、ラッチ機構部３において、係止プレート３ｂの係合凸部３ｆがラッチアーム３ｄの係合凹部３ｇと係合する位置にあり、即ち、ラッチプレート３ａの係合部３ｅが係合保持位置Ｐ１にあれば、伸長状態を維持して、ラッチアーム３ｄの係合凹部３ｇを係止プレート３ｂの係合凸部３ｆと係合した状態を保持し、即ち、ラッチプレート３ａの係合部３ｅが係合保持位置Ｐ１にある状態に保持し、ラッチ機構部３を係合保持状態に固定するものとなっている。なお、このトグルリンク機構４ａには、ラッチ解除機構６と協働して、ラッチ機構部３の係合保持状態を自動的に解除するために、伸長状態から屈折状態に変化させるトリガとなる自動解除用のトリガピン４ｆがジョイント部４ｄ上に立設されて設けられている。
【００２５】
ソレノイド５は、火災信号等に基づき、伸縮移動するプランジャ（移動体）５ａを有し、ラッチ解除機構６と協働して、ラッチ機構部３の係合保持状態を自動的に解除するためのものであるが、常時は、磁力により、プランジャ５ａを伸長状態に保持し（図３ａ）、火災時は、通電により、磁力を弱め、プランジャ５ａが縮長可能な状態になるものであり、後記のラッチ解除機構６の起動レバー６ｍに押圧されて、縮長されるものとなっている（図３ｂ）。なお、５ｂは、プランジャ５ａの伸長状態への復帰用のスプリングである。
【００２６】
ラッチ解除機構部６は、ソレノイド５と協働して、ラッチ機構部３の係合保持状態を自動的に解除するものであるが、取付プレートの一例としての中間シャーシ７上に長さ方向にスライド移動可能に重畳されて取り付けられた２枚の解除プレート６ｂ、６ｃからなり、ソレノイド５のプランジャ５ａの縮長側への移動に連動して、ラッチ固定機構部４によるラッチ機構部３の係合保持状態を解除するように動作するスライド機構６ａを含んでいる。
【００２７】
スライド機構６ａは、具体的には、図２（ａ）及び（ｂ）に示すように、中間シャーシ７の直上に取り付けられた第１の解除プレート６ｂと、第１の解除プレート６ｂ上に重ねて取り付けられた第２の解除プレート６ｃとを含んでいる。第１の解除プレート６ｂと第２の解除プレート６ｃは、何れも、全体として細長の形状をなしており、その幅方向中央部に長さ方向に沿って延在する長孔が形成されており（本実施形態において、両プレート６ｂ、６ｃの長孔は、図１ｃの第２の解除プレート６ｃの２つの長孔６ｄ、６ｅのように、長さ方向に並んで２箇所ずつとしているが、その数は増減してもよい。）、これらの長孔に、中間シャーシ７上に立設された円柱状のローラ軸６ｆ、６ｇが（本実施形態において、ローラ軸は解除プレート６ｂ、６ｃに形成される長孔の数に応じて２箇所としているが、その数は増減してもよい。）、ローラ６ｈ（本実施形態において、ローラは解除プレートの数、その長孔の数及びローラ軸の数に応じて４つとしているが、その数は増減してもよい。）と共に挿通された状態で、中間シャーシ７上に取り付けられている。なお、ローラ６ｈは、ローラ軸６ｆ、６ｇが挿通可能なように筒状をなすものであるが、本実施形態においては、一方の端部にフランジを形成するように大径部６ｉを有する形状のものとなっており、この大径部６ｉは長孔６ｄ、６ｅの幅よりも大きく、このローラ６ｈにおいて、大径部６ｉよりも小径の小径部６ｊは長孔６ｄ、６ｅに挿通されるが、大径部６ｉは長孔６ｄ、６ｅに挿通されず、各解除プレート６ｂ、６ｃ上に位置するものとなっており、これにより、中間シャーシ７と第１の解除プレート６ｂとの間及び第１の解除プレート６ｂと第２の解除プレート６ｃとの間に大径部６ｉの厚さによる一定の間隔を形成して、両プレート６ｂ、６ｃのスライド移動の際に生じる摩擦抵抗を小さくすることができるようになっていると共に、小径部６ｊと大径部６ｉとが両プレート６ｂ、６ｃの上下及び幅方向からスライド移動をガイドすることができるようになっている。また、ローラ軸６ｆ、６ｇの先端には、周方向に延在する溝部６ｓが形成されており、この溝部６ｓにｅリング６ｋ等の固定部材を嵌合させることで、ローラ軸６ｆ、６ｇを介した第１の解除プレート６ｂ及び第２の解除プレート６ｃ等の取付の固定ができるようになっている。
【００２８】
さらに、スライド機構６ａにおいて、第１の解除プレート６ｂには、中間シャーシ７を貫通し、ソレノイド５のプランジャ５ａの先端と当接する起動レバー６ｍが立設されると共に（図３ａ及びｂ）、その反対側にトグルリンク機構４ａのトリガピン（解除トリガ）４ｆと当接する解除レバー６ｎが立設されている（図３ａ及びｂ）。また、第１の解除プレート６ｂと第２の解除プレート６ｃとの間には両プレートの長さ方向に沿って両プレートを接近させる方向に付勢力を作用させるコイルスプリング６ｐが設けられており、ソレノイド５の伸長状態にあるプランジャ５ａが第１の解除プレート６ｂの起動レバー６ｍと当接している常時の状態において、第１の解除プレート６ｂと第２の解除プレート６ｃは長さ方向において離間６ｑし（ラッチプレート３ａの引掛け部３ｈが第２の解除プレート６ｃの立片６ｒを引掛けて第２の解除プレート６ｃを引っ張って第１の解除プレート６ｂから離間６ｑさせている。）、コイルスプリング６ｐは伸長された状態にあり、その復元力による付勢力が起動レバー６ｍによりプランジャ５ａを押圧する力として作用するようになっており（図３ａ）、プランジャ５ａが縮長状態に変化すれば、コイルスプリング６ｐの付勢力により第１の解除プレート６ｂが第２の解除プレート６ｃに接近する方向、即ち矢印Ａ１方向にスライド移動するようになっており、このとき第１の解除プレート６ｂの解除レバー６ｎがトグルリンク機構４ａのトリガピン４ｆを矢印Ａ１方向に引っ張り（図３ｂ）、トグルリンク機構４ａを伸長状態から屈折状態に変化させ、ラッチアーム３ｄをその係合凹部３ｇが係止プレート３ｂの係合凸部３ｆと係合しない位置に回動させるようになっている（図４ａ乃至ｃ）。
【００２９】
つまり、ラッチ解除機構部６におけるスライド機構６ａは、ソレノイド５が起動し、プランジャ５ａが縮長すれば、ラッチ固定機構部４のトグルリンク機構４ａを伸長状態から屈折状態に変化させることができ、ソレノイド５の起動により、自動でラッチ固定機構部３による防火戸のフックＨに対する係合保持状態を解除することができるようになっている。
【００３０】
ここで、ラッチ解除機構部６は、複数の解除プレート６ｂ、６ｃからなるスライド機構６ａを含んでいるが、スライド機構６ａは、従来の取付プレート上に形成されたガイド用の溝部に複数の解除プレートを重畳してスライド移動可能に取り付けているのものと異なり、前記の通り、複数の解除プレート６ｂ、６ｃにその長さ方向に延在する長孔６ｄ、６ｅが形成され、その長孔６ｄ、６ｅにローラ軸６ｆ、６ｇがローラ６ｈと共に挿通されて、複数の解除プレート６ｂ、６ｃが中間シャーシ７上にスライド移動可能に取り付けられたものとなっており、前記従来例に比して、複数の解除プレート６ｂ、６ｃの幅方向の設計の自由度が広いものとなっており、また、解除プレート６ｂ、６ｃに丁寧なバリ取りや接触部分へのグリスの塗布をしなくても、解除プレート６ｂ、６ｃを円滑にスライド移動させることのできるものとなっている。
【００３１】
即ち、防火戸用自動閉鎖装置１は、スライド機構６ａにおいて、複数の解除プレート６ｂ、６ｃの設計の自由度が広くすることができ、また、製造時の作業工数を少なくすることができ、また、周囲温度の影響を受けず、解除プレート６ｂ、６ｃを長期に亘って安定してスライド移動させることができるものとなっている。
【００３２】
さらに、防火戸用自動閉鎖装置１は、自動でラッチ機構部３による防火戸のフックＨに対する係合保持状態を解除することができるようになっているだけでなく、手動でもそのようにすることができるものとなっている。
【００３３】
具体的には、ラッチ機構部３の解除レバー付プレート３ｃの回動端には、トグルリンク機構４ａの第２アーム４ｃの自由端側に設けられた手動解除用のトリガレバー部４ｇと当接する手動解除用の解除レバー３ｉが設けられており、防火戸を引っ張ることで、そのフックＨと係合部３ｅで係合状態にあるラッチプレート３ａは解放方向（図面上の時計回り）に回動するが、それと共に解除レバー付プレート３ｃも回動するようになっており、その際、解除レバー付プレート３ｃの解除レバー３ｉがトグルリンク機構４ａのトリガレバー４ｇを押動し、トグルリンク機構４ａを伸長状態から屈折状態へと変化させて、ラッチ機構部３による防火戸のフックＨに対する係合保持状態を解除することができるようになっている。
【００３４】
また、前記のように、防火戸用自動閉鎖装置１は、手動でもラッチ機構部３による防火戸のフックＨに対する係合保持状態を解除することができるようになっているが、その手動で係合保持状態を解除するのに要する力、即ち、ラッチ機構部３の係合保持力を調節するための保持力調節機構８をさらに備えている。
【００３５】
保持力調節機構部８は、ラッチプレート３ａの回動側端部に立設された移動側調節片８ａと、係止プレート３ｂの回動側端部に立設された固定側調節片８ｂと、両調節片８ａ、８ｂを常時密着方向に付勢するコイルスプリング８ｃと、コイルスプリング８ｃを伸縮させ、その密着方向への付勢力を調節するネジ８ｄによる伸縮機構とからなる。手動で係合保持状態を解除する際、ラッチプレート３ａの回動と共に移動側調節片８ａは、コイルスプリング８ｃによって係止プレート３ｂの固定側調節片８ｂとの間８ｅに作用する密着方向への付勢力に打ち勝って、係止プレート３ｂの固定側調節片８ｂから離間することになるが、その離間させるのに要する力、つまりは手動で係合保持状態を解除するのに要する力を、この保持力調節機構部８ｃによって、移動側調節片８ａと固定側調節片８ｂとの間８ｅに作用するコイルスプリング８ｃによる密着方向への付勢力をネジ８ｄを回動させて調節することができるようになっている。
【００３６】
最後に、ラッチ機構部３を係合保持状態からそれを解除して防火戸のフックを解放させる際の各構成の動作について、係合保持状態の解除を自動によりする場合と手動によりする場合とに分けて説明する。
【００３７】
[自動解除]
図４（ａ）乃至（ｃ）は、自動でラッチ機構部３を係合保持状態からそれを解除して防火戸のフックを解放する場合の各構成の変化の様子を示したものである。図４（ａ）に示すように、ラッチ機構部３が係合保持状態にあるとき、ラッチプレート３ａはその係合部３ｅが防火戸のフックＨと係合する位置（Ｐ１）にあるが、その状態が、係止プレート３ｂの係合凸部３ｆとラッチアーム３ｄの係合凹部３ｇとが係合し、ラッチアーム３ｄが連結されるトグルリンク機構４ａが伸長状態にあることで保持されている。ソレノイド５が起動すると、プランジャ５ａが図３（ａ）の伸長状態から図３（ｂ）の縮長状態に変化し、スライド機構６における第１の解除プレート６ｂがＡ１方向に移動し、その解除レバー６ｎがトグルリンク機構４ａのトリガピン４ｆを矢印Ａ１方向に移動させる。即ち、ソレノイド５が起動すると、図４（ｂ）及び（ｃ）に連続して示すように、第１の解除プレート６ｂによるトリガピン４ｆの矢印Ａ１方向への移動によって、トグルリンク機構４が伸長状態から屈折状態へと変化すると共に、ラッチアーム３ｄがその係合凹部３ｇが係止プレート３ｂの係合凸部３ｆと係合しない位置（図面上の上方）へと回動し、その係合が外れることで係合保持状態が解除され、図示しないスプリングの付勢力によりラッチプレート３ａが係止プレート３ｂ及び解除レバー付プレート３ｃと共に解放方向（図面上の時計回り）へと回動して、その係合部３ｅが防火戸のフックＨを解放させる位置（Ｐ２）に至り、防火戸のフックＨがラッチ機構部３から解放されることとなる。
【００３８】
[手動解除]
図５（ａ）乃至（ｄ）は、手動でラッチ機構部３を係合保持状態からそれを解除して防火戸のフックＨを解放する場合の各構成の変化の様子を示したものである。図５（ａ）に示すように、ラッチ機構部３が係合保持状態にあるとき、各構成は自動解除における場合と同様の状態にある。手動でラッチ機構部３の係合保持状態を解除するには、防火戸を引っ張って、そのフックＨによりラッチプレート３ａを係合部３ｅを介して解放方向（図面上の時計回り）へと引っ張ることになるが、そのようにすると、図５（ｂ）乃至（ｄ）に連続して示すように、ラッチプレート３ａが解除レバー付プレート３ｃと共に解放方向（図面上の時計回り）へと回動して、解除レバー付プレート３ｃの解除レバー３ｉがトグルリンク機構４のトリガレバー４ｇを押動し、それによりトグルリンク機構４を伸長状態から屈折状態へと変化させ、後は自動解除における場合と同様の変化を経て、係合部３ｅが防火戸のフックＨを解放させる位置（Ｐ２）に至り、防火戸のフックＨがラッチ機構部３から解放されることとなる。
【符号の説明】
【００３９】
１：防火戸用自動閉鎖装置  ２：ケース  ３：ラッチ機構部
３ａ：ラッチプレート  ３ｂ：係止プレート  ３ｃ：解除レバー付プレート
３ｄ：ラッチアーム  ３ｅ：係合部  ３ｆ：係合凸部  ３ｇ：係合凹部
３ｈ：引掛け部  ３ｉ：解除レバー  ４：ラッチ固定機構部
４ａ：トグルリンク機構  ４ｂ：第１アーム  ４ｃ：第２アーム
４ｄ：ジョイント部  ４ｅ：ジョイント部  ４ｆ：トリガピン
４ｇ：トリガレバー  ４ｈ：スプリング  ５：起動部  ５ａ：プランジャ
５ｂ：スプリング  ６：ラッチ解除機構部  ６ａ：スライド機構
６ｂ：第１の解除プレート  ６ｃ：第２の解除プレート
６ｄ〜６ｅ：長孔  ６ｆ〜６ｇ：ローラ軸  ６ｈ：ローラ  ６ｉ：大径部
６ｊ：小径部  ６ｋ：ｅリング  ６ｍ：起動レバー  ６ｎ：解除レバー
６ｐ：スプリング  ６ｑ：離間  ６ｒ：立片  ６ｓ：溝部
７：中間シャーシ  ８：保持力調節機構部  ８ａ：移動側調節片
８ｂ：固定側調節片  ８ｃ：スプリング  ８ｄ：ネジ  ８ｅ：間
Ｘ１〜Ｘ３：軸  Ｈ：防火戸のフック
【図１】
0005643053.tif 000002
【図２】
0005643053.tif 000003
【図３】
0005643053.tif 000004
【図４】
0005643053.tif 000005
【図５】
0005643053.tif 000006